(57)【要約】【課題】  リールの回転を停止させる所望のタイミングを容易に認識できる遊技機を提供する。【解決手段】  複数の図柄２１１，…が外周面に周方向に沿って配置され、軸心を中心に回転するリール２１，２１，２１を備える遊技機において、複数の図柄２１１，…は、リール２１の回転方向に対し斜めに交差する方向に沿って配置されることを特徴とする。【選択図】  図５
2012085781.tif 000002
【特許請求の範囲】
【請求項１】
複数の図柄が外周面に周方向に沿って配置され、軸心を中心に回転するリールを備える遊技機において、
複数の図柄は、リールの回転方向に対し斜めに交差する方向に沿って配置されることを特徴とする遊技機。
【請求項２】
複数の図柄は、少なくとも一方側の端部がリールの回転方向に対し斜めに交差する方向に沿って配置される請求項１に記載の遊技機。
【請求項３】
複数の図柄は、共通する外枠をそれぞれ備え、両端部がリールの回転方向に対し斜めに交差する方向に沿って配置される請求項２に記載の遊技機。
【請求項４】
リールの外周面の一部を外部から視認可能に表示させるリール表示窓を備え、
リール表示窓は、リールが停止した際に一つの図柄を表示させるべく、高さ寸法が設定されてなる請求項１〜３の何れか１項に記載の遊技機。
【発明の詳細な説明】
【技術分野】
【０００１】
本発明は、複数の図柄が外周面に周方向に沿って配置され、軸心を中心に回転するリールを備える遊技機に関する。
【背景技術】
【０００２】
従来、スロットマシンのリールとして、複数の図柄が外周面に周方向に沿って配置され、水平な軸心を中心に回転するリールが知られている。そして、リールの外周面には、特別図柄（例えば、「７」）、小役図柄（例えば、「チェリー」、「スイカ」、「ベル」）、又はリプレイ図柄（例えば、「ＲＥＰＬＡＹ」、「ＲＰ」）といった意匠が異なる複数種の図柄が配置されている。
【０００３】
そして、斯かるスロットマシンにおいては、メダルを投入し、賭け数設定操作を行った後、回転始動レバーを操作することにより、全てのリールが回転し、複数種類の図柄がリール表示窓内において変動表示される。そして、回転停止釦を操作することにより、回転停止釦に対応するリールの回転が停止し、リール表示窓に表示される図柄が所定の組み合わせになった場合に、その組み合わせに応じて入賞が発生するようになっている。
【０００４】
ところで、斯かるスロットマシンにおいては、回転始動レバーが操作された際に、内部抽選（入賞を許容するか否か、許容する入賞の種類等の抽選）が行われる。そして、内部抽選で入賞が許容された場合、回転停止釦が操作されてから所定時間（例えば、４つの図柄が移動する時間であって、１９０ｍｓ）以内に停止可能な駒数の範囲に、許容された入賞に対応する図柄が存在していれば、当該図柄が表示されるようにリールを停止し、許容された入賞を成立させる制御が行なわれる。
【０００５】
しかしながら、回転停止釦が操作されてから所定時間以内に停止可能な駒数の範囲に、許容された入賞に対応する図柄が存在していなければ、内部抽選で入賞が許容された場合でも、許容された入賞を成立させることは出来ない。このように、入賞が成立するためには、内部抽選により当選した上で、該入賞が成立するための図柄を表示するように、遊技者が所定のタイミングでリールの回転を停止させる操作、所謂、「目押し操作」（又は単に「目押し」ともいう）を行なうことが要求される。
【０００６】
即ち、内部抽選で当選したとしても、遊技者がリールの回転を停止させる操作のタイミングが悪いと、内部抽選で当選しているにも関わらず入賞が成立しない、所謂、「取りこぼし」が発生することになる。ところが、斯かる「目押し操作」は、動体視力が悪い人や、遊技の初心者の人にとって、非常に難しく、スロットマシンを遊技することに対する大きな障害となっていることは事実である。したがって、従来のスロットマシンにおいて、「目押し操作」を補助する手段を付加することが種々提案されている。
【０００７】
例えば、従来、斯かる補助する手段として、複数の図柄のうち、特定図柄以外について、一端部が基準線（回転方向に沿う線）に揃うように配置させる一方、特定図柄について、一部が当該基準線からはみ出して配置させるものが知られている（例えば、特許文献１）。これにより、遊技者が特定図柄を認識でき、「目押し操作」を補助することで「取りこぼし」を減少させることができる。
【先行技術文献】
【特許文献】
【０００８】
【特許文献１】特開２００５−２４５６０３号公報
【発明の概要】
【発明が解決しようとする課題】
【０００９】
しかしながら、特許文献１に係るスロットマシンにおいては、特別図柄の一部を基準線からはみ出して配置させただけであるから、リールが回転してしまうと、隣接している他の図柄との区別が難しい。したがって、「目押し操作」を容易にする効果としては不十分であるといった問題点があった。
【００１０】
よって、本発明は、斯かる事情に鑑み、リールの回転を停止させる所望のタイミングを容易に認識できる遊技機を提供することを課題とする。
【課題を解決するための手段】
【００１１】
本発明に係る遊技機は、複数の図柄が外周面に周方向に沿って配置され、軸心を中心に回転するリールを備える遊技機において、複数の図柄は、リールの回転方向に対し斜めに交差する方向に沿って配置されることを特徴とする。
【００１２】
本発明に係る遊技機によれば、複数の図柄がリールの回転方向に対し斜めに交差する方向に沿って配置されている。これにより、リールが軸心を中心に回転すると、リールの外周面の幅方向（リールの軸心方向）において、図柄（又は図柄の残像）が移動するように視認できるため、リールの回転を停止させるタイミングが図り易くなる。
【００１３】
また、本発明に係る遊技機においては、複数の図柄は、少なくとも一方側の端部がリールの回転方向に対し斜めに交差する方向に沿って配置されてもよい。
【００１４】
斯かる構成の遊技機によれば、複数の図柄における少なくとも一方側の端部がリールの回転方向に対し斜めに交差する方向に沿って配置されている。これにより、リールが軸心を中心に回転すると、リールの外周面の幅方向（リールの軸心方向）において、図柄の一方側の端部（又はその残像）が移動するように視認できるため、リールの回転を停止させるタイミングがさらに図り易くなる。
【００１５】
また、本発明に係る遊技機においては、複数の図柄は、共通する外枠をそれぞれ備え、両端部がリールの回転方向に対し斜めに交差する方向に沿って配置されてもよい。
【００１６】
斯かる構成の遊技機によれば、各図柄が共通する外枠を備えている。そして、複数の図柄における両端部、即ち、複数の図柄における外枠の両端部がリールの回転方向に対し斜めに交差する方向に沿って配置されている。これにより、リールが軸心を中心に回転すると、リールの外周面の幅方向（リールの軸心方向）において複数の図柄における外枠の両端部が移動するように視認できるため、リールの回転を停止させるタイミングがさらに図り易くなる。
【００１７】
また、本発明に係る遊技機においては、リールの外周面の一部を外部から視認可能にさせるリール表示窓を備え、リール表示窓は、リールが停止した際に一つの図柄を表示させるべく、高さ寸法が設定されてなる構成でもよい。
【００１８】
斯かる構成の遊技機によれば、リールの外周面の一部を外部から視認可能にさせるリール表示窓の高さ寸法は、リールが停止した際に、一つの図柄を表示させる寸法に設定されている。これにより、リールが停止した際に、一つの図柄を表示させることができる。即ち、リール表示窓としての役割を果たせる。
【００１９】
一方、高さ寸法（視認できるリールの外周面における高さ方向の移動成分）を可能な限り小さくすることで、リールが回転している際に、リールの外周面の幅方向における図柄の移動（視認できるリールの外周面における幅方向の移動成分）に集中させることができる。したがって、リールの回転を停止させるタイミングがさらに図り易くなる。
【発明の効果】
【００２０】
以上の如く、本発明に係る遊技機によれば、リールの回転を停止させる所望のタイミングを容易に認識できるという優れた効果を奏する。
【図面の簡単な説明】
【００２１】
【図１】本発明の一実施形態に係る遊技機の全体斜視図を示す。
【図２】同実施形態に係る遊技機の扉体を取り外した状態における全体正面図を示す。
【図３】同実施形態に係る遊技機における制御系のブロック図を示す。
【図４】同実施形態に係る遊技機のリールユニットの全体図であって、分解斜視図を示す。
【図５】同実施形態に係る遊技機のリールの全体図であって、外周の展開図を示す。
【図６】同実施形態に係る遊技機の動作を説明する要部図であって、（ａ）及び（ｂ）はそれぞれ正面図を示す。
【図７】本発明の他の実施形態に係る遊技機のリールの全体図であって、外周の展開図を示す。
【図８】本発明のさらに他の実施形態に係る遊技機のリールの全体図であって、外周の展開図を示す。
【図９】本発明のさらに他の実施形態に係る遊技機のリールの全体図であって、外周の展開図を示す。
【図１０】本発明のさらに他の実施形態に係る遊技機のリールの全体図であって、外周の展開図を示す。
【図１１】本発明のさらに他の実施形態に係る遊技機のリールの全体図であって、外周の展開図を示す。
【図１２】本発明のさらに他の実施形態に係る遊技機のリールの全体図であって、外周の展開図を示す。
【図１３】本発明のさらに他の実施形態に係る遊技機のリールの図であって、（ａ）は外周の全体展開図、（ｂ）は一図柄を示す。
【図１４】本発明のさらに他の実施形態に係る遊技機のリールの図であって、（ａ）及び（ｂ）はそれぞれ一図柄を示す。
【図１５】本発明のさらに他の実施形態に係る遊技機の動作を説明する要部図であって、（ａ）及び（ｂ）はそれぞれ正面図を示す。
【図１６】本発明のさらに他の実施形態に係る遊技機の正面図であって、（ａ）は要部図、（ｂ）はＡ領域における拡大図を示す。
【発明を実施するための形態】
【００２２】
以下、本発明に係る遊技機における一実施形態について、図１〜図６を参酌して説明する。なお、本実施形態に係る遊技機は、スロットマシンである。
【００２３】
本実施形態に係る遊技機は、図１〜図５に示すように、前面に開口を有する矩形状の筐体１と、筐体１の内部に配置され、複数種類の図柄２１１，…が設けられたリール２１，…を有するリールユニット２と、筺体１の開口を覆うように配置され、リール２１，…の図柄２１１，…を外部から視認可能に構成される扉体３とを備える。また、遊技機は、メダルを払い出す払出手段４と、内部抽選（入賞を許容するか否か、許容する入賞の種類等の抽選）を行ったり、各構成を制御したりする制御手段５とを備える。
【００２４】
リールユニット２は、並列される複数（本実施形態においては三つ）のリール２１，２１，２１を収容するハウジング２２と、ハウジング２２の内部に配置され、各リール２１を支持する支持板２３，…とを備える。そして、リールユニット２は、各支持板２３に固定され、リール２１を回転させるモータ２４，…と、各支持板２３に固定され、リール２１の内部に配置される照明２５，…と、回転するリール２１が基準位置であることを検出する検出手段（本実施形態においては光電センサとしている）２６，…とを備える。
【００２５】
各リール２１は、モータ２４の駆動軸に固定され、モータ２４の駆動に伴って回転されるドラム２１ａと、ドラム２１ａの外周に貼着される帯状のリールテープ２１ｂと、ドラム２１ａの内部に配置され、基準位置の際に、検出手段２６に検出される被検出部２１ｃとを備える。そして、各リール２１は、円柱状（又は円筒状）に形成され、軸心（モータ２４の駆動軸）を中心に個別に回転する。
【００２６】
また、各リール２１は、リールテープ２１ｂの表面に長手方向に沿って複数の図柄２１１，…が配列されていることにより、外周面に複数（例えば２１個）の図柄２１１，…を周方向に沿って配置させている。具体的には、各リール２１の外周面が「１番」から「２１番」の領域に区画され、それぞれの区画領域に何れかの図柄２１１が配置されることにより、各リール２１の外周面には、回転方向に沿って２１個の図柄２１１，…が等間隔に配置されている。
【００２７】
複数の図柄２１１，…は、リール２１の回転方向に対し斜めに交差する方向に沿って配置されている。具体的には、複数の図柄２１１，…は、中心がリール２１の回転方向に対し斜めに交差する方向に沿って並列されている。換言すれば、複数の図柄２１１，…は、リールテープ２１ｂの長手方向（縦方向）の中心で且つリールテープ２１ｂの幅方向（横方向）の中心がリールテープ２１ｂの長手方向に対し斜めに交差する方向に沿って並列されている。
【００２８】
ここで、図５において、回転方向に沿う線（以下「回転方向線」ともいう）を、仮想線である一点鎖線Ｘで示しており、また、図柄２１１，…が並列される方向に沿う線（以下「図柄並列方向線」ともいう）を、仮想線である二点鎖線Ｙで示している。即ち、リール２１の回転方向と、リールテープ２１ｂの長手方向とは、平行である。
【００２９】
そして、図柄並列方向線Ｙは、リール２１の外周部の全周（リールテープ２１ｂの全長）に亘って、回転方向線Ｘに対して傾斜していると共に、リール２１の外周部の全周に亘って、連続している。具体的には、図柄並列方向線Ｙは、回転方向線Ｘに対して異なる方向に傾斜する二つの直線の各端部同士をつないだ線である。これにより、リール２１が略半回転（略半周分回転）することで、図柄２１１が横方向の一方側から他方側に移動するように視認できることになる。
【００３０】
扉体３は、リール２１，…の外周面の一部を外部から視認可能に表示させるリール表示窓３１を備える。また、扉体３は、遊技者に操作される操作手段３２と、遊技者に情報を報知する報知手段３３とを備える。そして、扉体３は、ヒンジ部材１１，１１を介して筐体１に開閉自在に取り付けられている。
【００３１】
リール表示窓３１は、扉体３における上下方向の中央部に配置されている。そして、リール表示窓３１は、無色透明のパネルで構成され、各リール２１が停止する状態において、各リール２１における２１個の図柄２１１，…のうち、３個の図柄２１１，２１１，２１１を視認可能にさせている。具体的には、リール表示窓３１は、各リール２１が停止した際に三つの図柄２１１，２１１，２１１を表示させるべく、高さ寸法が設定されてなる。
【００３２】
操作手段３２は、リール表示窓３１の下方側に配置される第１の操作面３２ａと、第１の操作面３２ａの下方側に配置され、遊技者と対向する第２の操作面３２ｂとを備える。また、操作手段３２は、第１の操作面３２ａの一方側に配置され、メダルが投入されるメダル投入部３２１を備える。
【００３３】
そして、操作手段３２は、第１の操作面３２ａの他方側に配置され、遊技に使用するメダルの数（賭け数）を設定するための賭け数設定部３２２を備える。本実施形態において、賭け数設定部３２２は、押し操作されることで賭け数を１枚ずつ加算する１ベット釦３２２ａと、押し操作されることで賭け数を最大賭け数（例えば３枚）に設定するマックスベット釦３２２ｂとを備えている。
【００３４】
また、操作手段３２は、第２の操作面３２ｂの他方側に配置され、複数のリール２１，２１，２１の回転を始動させる回転始動部３２３を備える。本実施形態において、回転始動部３２３は、引き操作されることで全てのリール２１，２１，２１を同時に回転始動させるレバー式の始動スイッチ３２３としている。
【００３５】
さらに、操作手段３２は、第２の操作面３２ｂの中央に配置され、回転しているリール２１を個別に任意のタイミングで停止させる回転停止部３２４を備える。本実施形態において、回転停止部３２４は、押し操作されることで、対応した各リール２１の回転を停止させる複数（三つ）の回転停止釦３２４ａ，３２４a，３２４aを備えている。
【００３６】
報知手段３３は、リール表示窓３１の上方側に配置され、遊技の進行に応じて各種表示演出を行う演出表示部３３１と、演出表示部３３１の上方側と操作手段３２の下方側とにそれぞれ配置され、遊技の進行に応じて発光する第１及び第２の発光表示部３３２，３３３とを備える。そして、報知手段３３は、演出表示部３３１の両側と第２の発光表示部３３３の下方側とにそれぞれ配置され、遊技の進行に応じて音声を出力する音声出力部３３４，…を備える。
【００３７】
また、報知手段３３は、リール表示窓３１の側方側に配置され、賭け数に応じて設定される有効ラインの位置及び本数を点灯等により表示する有効ライン表示器（採番及び図示していない）を備える。さらに、報知手段３３は、操作手段３２（第１の操作面３２ａ）に配置され、メダル（払い出し枚数、クレジット枚数等）に関する情報を表示するメダル表示部３３５を備える。
【００３８】
払出手段４は、扉体３の下部の外側に配置される凹状のメダル受け部４１と、メダルを貯留しているメダル貯留部４２からメダル受け部４１にメダルを払い出すべく、第２の発光表示部３３３の下方側で且つメダル受け部４１の直上に配置されるメダル払出部４３とを備える。なお、メダル貯留部４２は、筐体１の内部に配置され、メダルが不足した際に、メダルが自動的に補給されるように構成されている。
【００３９】
制御手段５は、筐体１の内部で且つ上部に配置される第１の基板ケース５１と、筐体１の内部で且つリールユニット２の側方に配置される第２の基板ケース５２とを備える。そして、各基板ケース５１（５２）は、内部に収容される基板５１１（５２１）と、基板５１１（５２１）に搭載されるＣＰＵ５１２（５２２）、ＲＯＭ５１３（５２３）、及びＲＡＭ５１４（５２４）とを備える。
【００４０】
本実施形態に係る遊技機の構成については以上の通りであり、次に、本実施形態に係る遊技機の作用について説明する。
【００４１】
まず、図６（ａ）に示すように、各リール２１が停止している状態では、リール表示窓３１を介して、各リール２１における３個の図柄２１１，２１１，２１１を視認できる。そして、メダル投入部３２１にメダルを投入し、賭け数設定部３２２で賭け数設定操作を行った後、回転始動部３２３を操作することにより、各リール２１が回転する。
【００４２】
このとき、各リール２１の図柄２１１，…は、上方から下方に、回転方向（図６（ｂ）におけるＸ矢印方向）に移動するため、図柄２１１，…が図柄番号の小さい番号順（１→２→・・・→２１→１）でリール表示窓３１内に次々に出現する。また、図柄２１１，…がリール２１の回転方向に対し斜めに交差する方向に沿って配置されるため、リール表示窓３１内に出現する図柄２１１，…（又はその残像）は、右側から左側そして右側へと連続的に、回転方向と直交する方向（図６（ｂ）におけるＺ矢印方向）に移動するように視認できる。
【００４３】
そして、本実施形態においては、図柄番号３番（スイカ）と１３番（ＢＡＲ）との図柄２１１が、横方向において各方向で一番片寄って配置されており、斯かる図柄２１１が目押し操作の目標図柄となる。即ち、内部抽選で入賞が許容された場合、当該目標図柄を目標に目押し操作（回転停止釦３２４ａの操作）を行えば、回転停止釦３２４ａが操作されてから所定時間以内に停止可能な駒数の範囲に、入賞の図柄（図柄番号６番の白抜き「７」や１６番の中塗り「７」）２１１が存在することになり、許容された入賞を成立できる。
【００４４】
以上より、本実施形態に係る遊技機によれば、複数の図柄２１１，…がリール２１の回転方向に対し斜めに交差する方向に沿って配置されている。これにより、リール２１が軸心を中心に回転すると、リール２１の外周面の幅方向（リール２１の軸心方向）において、図柄２１１，…（又はその残像）が水平方向に低速度で移動するように視認できるため、リール２１の回転を停止させるタイミングが図り易くなる。したがって、リール２１の回転を停止させる所望のタイミングを容易に認識することができる。
【００４５】
なお、本発明に係る遊技機は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４６】
例えば、上記実施形態に係る遊技機において、図柄並列方向線Ｙは、リール２１の外周部の全周に亘って、回転方向線Ｘに対して傾斜していると共に、リール２１の外周部の全周に亘って、連続している場合、具体的には、回転方向線Ｘに対して異なる方向に傾斜する二つの直線の各端部同士をつないだ線である場合を説明したが、斯かる場合に限られない。そこで、図７〜図１１を参酌して、斯かる変更例を説明する。
【００４７】
図７に示すリール２１において、図柄並列方向線Ｙ１は、上記実施形態に係る図柄並列方向線Ｙが直線であるのに対して、曲線である点で相違する。具体的には、図柄並列方向線Ｙ１は、回転方向線Ｘに対して異なる方向に傾斜する二つの曲線の各端部同士をつないだ線である。これにより、図柄２１１（又はその残像）が横方向において一方側から他方側（右側から左側、又は左側から右側）にメリハリをつけて移動するように視認できる。
【００４８】
なお、図７に係る図柄並列方向線Ｙ１においては、目押し操作の目標図柄となる図柄（図柄番号３番と１３番）２１１に近づくにつれて、曲率が大きくなるように設定されている場合を示しているが、反対に、目押し操作の目標図柄となる図柄（図柄番号３番と１３番）２１１に近づくにつれて、曲率が小さくなるように設定されている場合でもよい。
【００４９】
図８に示すリール２１において、図柄並列方向線Ｙ２は、回転方向線Ｘに対して一部平行であると共に、リール２１の外周部の全周に亘って連続している。具体的には、目押し操作の目標図柄となる図柄（図柄番号３番と１３番）２１１から入賞の図柄（図柄番号６番と１６番）２１１迄、横方向において一番片寄った位置で連続して配置しており、斯かる図柄２１１，…の位置（図柄番号３番〜６番と１３番〜１６番）の部分で、図柄並列方向線Ｙ２が回転方向線Ｘに対して平行である。
【００５０】
斯かる構成によれば、図柄番号３番と１３番との図柄２１１が目押し操作の目標図柄となるが、図柄２１１（又はその残像）が横方向において一方側から他方側（右側から左側、又は左側から右側）に方向転換する際に、緩やかに移動し、左右両端の折り返し部で僅かな時間だけ停止するように視認できる。
【００５１】
なお、図８に係る図柄並列方向線Ｙ２は、回転方向線Ｘに対して傾斜している部分を直線としているが、斯かる部分を、曲線としてもよい。これにより、図柄２１１（又はその残像）が横方向において一方側から他方側（右側から左側、又は左側から右側）にメリハリをつけて移動するように視認できる。
【００５２】
図９に示すリール２１において、図柄並列方向線Ｙ３は、リール２１の外周部の全周に亘って、回転方向線Ｘに対して傾斜していると共に、二箇所で途切れるようにして、断続している。具体的には、図柄並列方向線Ｙ３は、回転方向線Ｘに対して同じ方向に傾斜する二つの直線である。
【００５３】
斯かる構成によれば、図柄番号３番と１３番との図柄２１１が、横方向において同じ方向（左側）に一番片寄って配置されており、斯かる図柄２１１が目押し操作の目標図柄となる。即ち、図柄２１１（又はその残像）が一方側（右側）から他方側（左側）に大きく移動するように視認した際に、目押し操作を行えば、回転停止釦３２４ａが操作されてから所定時間以内に停止可能な駒数の範囲に、入賞の図柄（図柄番号６番や１６番）２１１が存在している。
【００５４】
図１０に示すリール２１において、図柄並列方向線Ｙ４は、リール２１の外周部の全周に亘って、回転方向線Ｘに対して傾斜していると共に、二箇所で途切れるようにして、断続している。具体的には、図柄並列方向線Ｙ４は、回転方向線Ｘに対して異なる方向に傾斜する二つの直線である。
【００５５】
斯かる構成によれば、入賞の図柄（図柄番号６番と１６番）２１１が横方向において中央部に配置されており、図柄２１１（又はその残像）が中央部から一方側（右側）又は他方側（左側）に移動するように視認できる。したがって、リール２１が略半回転することで、図柄２１１（又はその残像）が中央部から一方側又は他方側に短い距離移動することになるため、図柄２１１の横方向における移動が緩やかに視認できる。
【００５６】
なお、図１０に係る図柄並列方向線Ｙ４は、リール２１の外周部の全周に亘って、回転方向線Ｘに対して傾斜しているが、図８に係る図柄並列方向線Ｙ２で説明したように、目押し操作の目標図柄となる図柄（図柄番号３番と１３番）２１１から入賞の図柄（図柄番号６番と１６番）２１１迄の位置（図柄番号３番〜６番と１３番〜１６番）の部分で、図柄並列方向線Ｙ４を回転方向線Ｘに対して平行としてもよい。
【００５７】
斯かる構成によれば、図柄２１１（又はその残像）がさらに緩やかに移動するように視認できる。その上、さらに、図柄並列方向線Ｙ４における回転方向線Ｘに対して傾斜している部分を、曲線としてもよい。斯かる構成によれば、図柄２１１（又はその残像）がメリハリをつけて移動するように視認できる。
【００５８】
図１１に示すリール２１において、図柄並列方向線Ｙ５は、リール２１の外周部の全周に亘って、回転方向線Ｘに対して傾斜していると共に、一箇所で途切れるようにして、断続している。具体的には、図柄並列方向線Ｙ５は、リール２１の外周部の全周に亘って、回転方向線Ｘに対して傾斜する一つの直線である。
【００５９】
斯かる構成によれば、リール２１が一回転することで、図柄２１１（又はその残像）が横方向の一方側（左側）から他方側（右側）に緩やかに移動するように視認できる。しかも、入賞の図柄（図柄番号１６番）２１１が横方向において一番片寄って配置されているため、図柄２１１（又はその残像）が他方側（右側）から一方側（左側）に大きく移動するように視認する直前に、リール２１を停止すべく、目押し操作を行えば、回転停止釦３２４ａが操作されてから所定時間以内に停止可能な駒数の範囲に、入賞の図柄（図柄番号１６番）２１１が存在する。
【００６０】
なお、図１１に係るリール２１において、入賞の図柄（図柄番号１６番）２１１が横方向において一番片寄って配置されているが、上記実施形態（図５）や図７〜図１０のリール２１と同様に、入賞の図柄よりも所定番号前の図柄（図柄番号１３番）が横方向において一番片寄って配置されていてもよい。斯かる構成によれば、図柄２１１（又はその残像）が他方側（右側）から一方側（左側）に大きく移動するように視認した際に、リール２１を停止すべく、目押し操作を行えばよい。
【００６１】
また、上記実施形態に係る遊技機において、複数の図柄２１１，…は、縦方向の中心で且つ横方向の中心がリール２１の回転方向に対して斜めに交差する方向に沿って配置される場合を説明したが、斯かる場合に限られない。そこで、図１２〜図１４を参酌して、斯かる変更例を説明する。
【００６２】
図１２に示すリール２１において、複数の図柄２１１，…は、一方側（右側）の端部がリール２１の回転方向に対し斜めに交差する方向に沿って配置されている。なお、図１２において、図柄並列方向線をＹ６で示している。
【００６３】
斯かる構成によれば、複数の図柄２１１，…の一方側の端部がリール２１の回転方向に対し斜めに交差する方向に沿って配置されている。これにより、リール２１が回転すると、横方向（リール２１の外周面の幅方向）において、図柄２１１の一方側の端部が移動するように視認できるため、リール２１の回転を停止させるタイミングがさらに図り易くなる。
【００６４】
図１３に示すリール２１において、複数の図柄２１１，…は、共通する外枠２１１ａをそれぞれ備え、両端部がリール２１の回転方向に対し斜めに交差する方向に沿って配置されている。また、各図柄２１１は、矩形状の白抜きされた外枠２１１ａの内部に各意匠２１１ｂを配置しており、外枠２１１ａの横方向の両側には、縦方向の色塗り部（太線部）が設けられている。なお、図１３において、図柄並列方向線をＹ７，Ｙ７で示している。
【００６５】
斯かる構成によれば、各図柄２１１が共通する外枠２１１ａを備えている。そして、複数の図柄２１１，…における外枠２１１ａの両端部がリール２１の回転方向に対し斜めに交差する方向に沿って配置されている。これにより、リール２１が回転すると、横方向（リールの外周面の幅方向）において複数の図柄２１１，…における外枠２１１ａの両端部が移動するように視認できるため、リール２１の回転を停止させるタイミングがさらに図り易くなる。
【００６６】
また、図柄２１１の変更例として、図１４を参酌して説明する。例えば、図１４（ａ）に示すように、図柄２１１は、色塗りされた矩形状の外枠２１１ａの内部に、各意匠２１１ｂが配置される場合でもよく、図１４（ｂ）に示すように、図柄２１１は、色塗りされた十字状の外枠２１１ａの内部に、各意匠２１１ｂが配置される場合でもよい。
【００６７】
また、上記実施形態に係る遊技機において、リール表示窓３１は、各リール２１が停止した際に三つの図柄２１１，２１１，２１１を表示させるべく、高さ寸法が設定されてなる場合を説明したが、斯かる場合に限られない。例えば、図１５に示すように、各リール２１が停止した際に一つの図柄２１１を表示させるべく、高さ寸法が設定されてなる場合でもよい。
【００６８】
斯かる構成によれば、リール２１が停止した際に、一つの図柄２１１を表示させることができるため、リール表示窓３１としての役割を果たせる一方、高さ寸法（視認できるリール２１の外周面における高さ成分）を可能な限り小さくすることで、リール２１が回転している際に、回転方向（図１５（ｂ）におけるＸ矢印方向）における図柄２１１の移動よりも、横方向（図１５（ｂ）におけるＺ矢印方向）における図柄２１１の移動に集中させることができる。
【００６９】
また、本発明に係る遊技機は、図１６に示すように、リール表示窓３１の下縁部に配置され、リール２１の所定位置を指し示すための目印部６を備える場合でもよい。そして、目印部６は、リール表示窓３１に対して、横方向（リール２１の軸心方向や、リール２１の外周部の幅方向であって、図１６（ｂ）におけるＢ両矢印方向）に変位（スライド）可能に構成されている。また、目印部６は、先端部（上端部）が尖るように形成されている。
【００７０】
斯かる構成によれば、目印部６の位置に図柄２１１が移動（到達）した際に、回転停止釦３２４ａを操作するように、目印部６の位置を設定することで、リール２１の回転を停止させるタイミングがさらに図り易くなる。しかも、目印部６の位置を横方向で変更できるため、遊技者のさまざまなタイミングに対してフレキシブルに対応することができる。なお、目印部６は、リール表示窓３１の上縁部（又は、上縁部と下縁部）に配置される場合でもよく、リール表示窓３１に対して固定されている場合でもよい。
【００７１】
また、上記実施形態に係る遊技機において、リール２１は、図柄２１１，…が配置されるリールテープ２１ｂをドラム２１ａの外周に貼着される場合を説明したが、斯かる場合に限られない。例えば、リール２１は、ドラム２１ａの外周部に図柄２１１，…が直接（刻印や色彩により）設けられている場合でもよい。
【符号の説明】
【００７２】
２１…リール、３１…リール表示窓、２１１…図柄、２１１ａ…外枠
【図１】
2012085781.tif 000003
【図２】
2012085781.tif 000004
【図３】
2012085781.tif 000005
【図４】
2012085781.tif 000006
【図５】
2012085781.tif 000007
【図６】
2012085781.tif 000008
【図７】
2012085781.tif 000009
【図８】
2012085781.tif 000010
【図９】
2012085781.tif 000011
【図１０】
2012085781.tif 000012
【図１１】
2012085781.tif 000013
【図１２】
2012085781.tif 000014
【図１３】
2012085781.tif 000015
【図１４】
2012085781.tif 000016
【図１５】
2012085781.tif 000017
【図１６】
2012085781.tif 000018